(57)【要約】【課題】複数の項目の情報を切り替えて表示部に表示するものであって、ユーザーが所望する情報を瞬時に表示することができる表示装置を提供すること。【解決手段】操作部９から出力された操作信号に基づいて操作部９に対するユーザーの操作態様を判定し、単押しであると判定するたびにＲＯＭ２に記憶された表示順序で車両情報をディスプレイ６に表示し（Ｓ１１、Ｓ１２、Ｓ１５、Ｓ１６）、複数の項目のうちいずれか一つの項目の車両情報をディスプレイ６に表示している状態において操作部９が長押しされたと判定した場合はその車両情報の項目をＥＥＰＲＯＭ４に記憶し（Ｓ１１、Ｓ１２、Ｓ１３）、操作部９がダブルクリックされたと判定した場合はＥＥＰＲＯＭ４に記憶された項目の車両情報をディスプレイ６に表示する（Ｓ１１、Ｓ１２、Ｓ１５、Ｓ１７）。【選択図】図２
2011100019.tif 000002
【特許請求の範囲】
【請求項１】
複数の項目の情報を切り替えて表示部に表示する表示装置であって、
ユーザーによる操作に応じて操作信号を出力する操作部と、
前記表示部に情報を表示する際の項目の表示順序を記憶する順序記憶手段と、
前記操作信号に基づいて前記操作部に対するユーザーの操作態様を判定し、当該操作態様が第１の操作態様であると判定するたびに、前記順序記憶手段に記憶された表示順序で情報を前記表示部に表示する表示手段と、
複数の項目のうちいずれか一つの項目の情報を前記表示部に表示している状態において、当該表示部に表示している項目の記憶を示す操作信号を取得したか否かを判定し、項目の記憶を示す操作信号を取得したと判定した場合、当該表示部に表示している情報の項目を記憶する項目記憶手段と、を備え、
前記表示手段は、前記操作態様が前記第１の操作態様とは異なる第２の操作態様であると判定した場合、前記項目記憶手段に記憶された項目の情報を前記表示部に表示することを特徴とする表示装置。
【請求項２】
前記項目記憶手段は、前記操作信号に基づいて前記操作部に対するユーザーの操作態様を判定し、当該操作態様が前記第１の操作態様及び前記第２の操作態様とは異なる第３の操作態様であると判定した場合、項目の記憶を示す操作信号を取得したと判定することを特徴とする請求項１に記載の表示装置。
【請求項３】
前記操作部は、ユーザーによる複数の操作態様に応じた操作信号を出力する第１の操作部と、ユーザーによる操作に応じて項目の記憶を示す操作信号を出力する第２の操作部とを含むものであり、
前記表示手段は、前記第１の操作部から出力された操作信号に基づいてユーザーの操作態様を判定することを特徴とする請求項１に記載の表示装置。
【請求項４】
前記表示部及び前記操作部は、車室内に設けられるものであり、前記表示手段は、前記表示部に表示する情報として、車両情報を表示することを特徴とする請求項１乃至３のいずれか一項に記載の表示装置。
【発明の詳細な説明】
【技術分野】
【０００１】
本発明は、複数の項目の情報を切り替えて表示部に表示する表示装置に関するものである。特に、複数の項目の車両情報を切り替えて車室内に設けられた表示部に表示する車両用の表示装置に好適なものである。
【背景技術】
【０００２】
従来、複数の項目の情報を切り替えて表示部に表示する表示装置の一例として、特許文献１に開示された車両用表示装置があった。
【０００３】
この車両用表示装置は、複数種の車両情報を表示する表示手段と、操作者の操作に応じて信号を発する操作スイッチと、操作スイッチからの信号に基づいて車両情報を切り替え表示するように表示手段を制御する制御手段とを備える。そして、制御手段は、操作スイッチからの信号に基づいてその操作状態を判定し、操作状態が第１の操作状態の場合は複数種の車両情報を第１の順序に従って切り替え表示させ、操作状態が第１の操作状態とは異なる第２の操作状態の場合は、複数種の車両情報を第１の順序とは逆順となる第２の順序にて切り替え表示させるものである。
【先行技術文献】
【特許文献】
【０００４】
【特許文献１】特開２００９−１０７３６３号公報
【発明の概要】
【発明が解決しようとする課題】
【０００５】
ところで、特許文献１に開示された車両用表示装置においては、例えば、五つの項目を順番に切り替えて表示する場合、三つ目の項目は、表示順序を逆順にしても表示される順番はかわらない。つまり、特許文献１に開示された車両用表示装置は、単に表示順序を第１の順序と、第１の順序とは逆順となる第２の順序とで切り替えるに過ぎない。従って、ユーザーが所望する情報を瞬時に表示することができない。
【０００６】
本発明は、上記問題点に鑑みなされたものであり、複数の項目の情報を切り替えて表示部に表示するものであって、ユーザーが所望する情報を瞬時に表示することができる表示装置を提供することを目的とする。
【課題を解決するための手段】
【０００７】
上記目的を達成するために請求項１に記載の表示装置は、複数の項目の情報を切り替えて表示部に表示するものであって、
ユーザーによる操作に応じて操作信号を出力する操作部と、
表示部に情報を表示する際の項目の表示順序を記憶する順序記憶手段と、
操作信号に基づいて操作部に対するユーザーの操作態様を判定し、操作態様が第１の操作態様であると判定するたびに、順序記憶手段に記憶された表示順序で情報を表示部に表示する表示手段と、
複数の項目のうちいずれか一つの項目の情報を表示部に表示している状態において、その表示部に表示している項目の記憶を示す操作信号を取得したか否かを判定し、項目の記憶を示す操作信号を取得したと判定した場合、その表示部に表示している情報の項目を記憶する項目記憶手段と、を備え、
表示手段は、操作態様が第１の操作態様とは異なる第２の操作態様であると判定した場合、項目記憶手段に記憶された項目の情報を表示部に表示することを特徴とするものである。
【０００８】
このように、複数の項目のうちいずれか一つの項目の情報を表示部に表示している状態で、ユーザーによる操作に応じて出力された項目の記憶を示す操作信号を取得した場合に、その項目を記憶することによって、ユーザーが所望する情報の項目を記憶することができる。そして、順序記憶手段に記憶された表示順序で情報を表示部に表示する際のユーザーの操作態様（第１の操作態様）とは異なる操作態様（第２の操作態様）に応じた操作信号を取得した場合に、項目の記憶を示す操作信号を取得したことによって記憶した項目の情報を表示することによって、ユーザーが所望する情報を瞬時に表示することができる。
【０００９】
また、請求項２に示すように、項目記憶手段は、操作信号に基づいて操作部に対するユーザーの操作態様を判定し、操作態様が第１の操作態様及び第２の操作態様とは異なる第３の操作態様であると判定した場合、項目の記憶を示す操作信号を取得したと判定するようにしてもよい。
【００１０】
このように、操作部に対するユーザーの操作態様によって、項目の記憶を示す操作信号を取得したか否かを判定することによって、操作部を増やすことなく項目を記憶できるようにすることができるので好ましい。つまり、一つの操作部で、順序記憶手段に記憶された表示順序での情報の表示、項目記憶手段にて記憶された項目の情報の表示、及び項目記憶手段での項目の記憶を行えるようにすることができる。
【００１１】
また、請求項３に示すように、操作部は、ユーザーによる複数の操作態様に応じた操作信号を出力する第１の操作部と、ユーザーによる操作に応じて項目の記憶を示す操作信号を出力する第２の操作部とを含むものであり、表示手段は、第１の操作部から出力された操作信号に基づいてユーザーの操作態様を判定するようにしてもよい。
【００１２】
このように、複数の操作部の一方（第１の操作部）で順序記憶手段に記憶された表示順序で情報を表示、項目記憶手段に記憶された項目の情報の表示を行えるようにして、他方（第２の操作部）で項目記憶手段での項目の記憶が行えるようにしてもよい。つまり、情報の表示を行うための操作部（第１の操作部）とは別に、項目の記憶を行う操作部（第２の操作部）を備えるようにしてもよい。
【００１３】
また、請求項４に示すように、表示部及び操作部は、車室内に設けられるものであり、表示手段は、表示部に表示する情報として、車両情報を表示するようにしてもよい。つまり、車両用の表示装置に適用してもよい。
【００１４】
なお、車室内は、操作部などを搭載できるスペースが限られている。従って、車両用の表示装置に適用した場合、上述のように、項目記憶手段は、操作信号に基づいて操作部に対するユーザーの操作態様を判定し、操作態様が第１の操作態様及び第２の操作態様とは異なる第３の操作態様であると判定した場合、項目の記憶を示す操作信号を取得したと判定するようにすると、操作部を増やす必要がないので特に好適である。
【図面の簡単な説明】
【００１５】
【図１】本発明の実施の形態におけるメータ装置の概略構成を示すブロック図である。
【図２】本発明の実施の形態におけるメータ装置の処理動作を示すフローチャートである。
【図３】本発明の実施の形態におけるメータ装置における項目の記憶処理を説明する図面である。
【図４】本発明の実施の形態におけるメータ装置における車両情報の表示動作の一例を説明する図面である。
【発明を実施するための形態】
【００１６】
以下、本発明の実施の形態を図に基づいて説明する。
【００１７】
本実施の形態においては、本発明の表示装置を車両用の表示装置であるメータ装置１０に適用した例を採用して説明する。
【００１８】
このメータ装置１０は、例えば、スピードメータ、タコメータ、燃料計などの計器類やオドメータ、フラッシャーインジケーター、各種ウォーニングなどをディスプレイ６（本発明の表示部に相当）に一括表示するコンビネーションメータなどを採用することができる。また、本実施の形態におけるメータ装置１０は、複数の項目の情報（車両情報）を切り替えてディスプレイ６の一部に表示するものである。つまり、メータ装置１０は、ディスプレイ６の一部に車両情報を表示する表示領域を備える。そして、その表示領域に表示される車両情報は、所定の順序で項目が切り替えられるものである。ただし、本発明は、これに限定されるものではなく、複数の項目の情報を切り替えて表示部に表示する表示装置であれば採用することができ、本発明の目的を達成できるものである。
【００１９】
上記車両情報の項目としては、例えば、明るさ調整、航続可能距離、給油後平均燃費、瞬間燃費、通算平均燃費、平均車速、走行時間、カスタマイズ、クリアランスソナー／ドア開、エネルギーフロー、ACC（Adaptive Cruise Control）/LKA（Lane Keeping Assist system）、タイヤ空気圧などを採用することができる。しかしながら、車両情報は、これらに限定されるものではない。なお、本実施の形態においては、切り替えて表示する車両情報の項目を項目Ａ、項目Ｂ、項目Ｃ、項目Ｄ、項目Ｅ、項目Ｆと簡略化して説明する。
【００２０】
図１に示すように、メータ装置１０は、メータＡＳＳＹ（アセンブリー）としてのＣＰＵ（Central Processing Unit）１、ＲＯＭ（Read Only Memory）２、ＲＡＭ（Random Access Memory）３、ＥＥＰＲＯＭ（Electronically Erasable and Programmable Read Only Memory）４、描画ＩＣ（Integrated Circuit）５、ディスプレイ６、ＣＡＮ（Controller Area Network）通信Ｉ／Ｆ（interface）７、電源Ｉ／Ｆ（interface）８、とメータＡＳＳＹ（ＣＰＵ１）に対して操作信号を出力する操作部９などを備える。また、メータ装置１０は、伝送路（ＣＡＮ通信用のバス）を介して第１コンピュータ２１、第２コンピュータ２２、第３コンピュータ２３と電気的に接続されている。さらに、メータ装置１０は、スイッチ３２（例えば、車両のイグニッションスイッチ）を介してバッテリー３１に電気的に接続可能に構成される。
【００２１】
メータ装置１０は、ＣＰＵ１、ＲＯＭ２、ＲＡＭ３、ＥＥＰＲＯＭ４、描画ＩＣ５、及びこれらの構成を接続するバスライン（図示省略）などによってコンピュータを構成して、これらによって後ほど説明する車両情報の表示処理などを実行する。
【００２２】
ＣＰＵ１は、スイッチ３２がオン状態であるときに、電源Ｉ／Ｆ８を介してバッテリー３１から給電されて動作するものである。このＣＰＵ１は、ＲＯＭ２に記憶された制御プログラム、ＲＯＭ２やＥＥＰＲＯＭ４に記憶されたデータ、及び操作部９から出力された操作信号などに基づいて、ＲＡＭ３を作業領域として用いて演算処理を行い、制御信号やＲＯＭ２に記憶された画像データなどを描画ＩＣ５に出力する。また、ＣＰＵ１は、第１コンピュータ２１、第２コンピュータ２２、第３コンピュータ２３から出力された車両情報のデータをＣＡＮ通信Ｉ／Ｆ７を介して取得して、この車両情報のデータを描画ＩＣ５に出力する。
【００２３】
なお、ＲＯＭ２には、ディスプレイ６に表示する計器類などの画像データや、ディスプレイ６に車両情報を表示する際の項目の表示順序（表示順序を示すデータ）などが記憶されている（順序記憶手段）。本実施の形態においては、項目Ａ、項目Ｂ、項目Ｃ、項目Ｄ、項目Ｅ、項目Ｆの順序で表示する例を採用する。なお、項目Ｆの次は、項目Ａに戻って同様の順序で表示する。従って、ＲＯＭ２には、項目Ａ、項目Ｂ、項目Ｃ、項目Ｄ、項目Ｅ、項目Ｆの順序で表示し、項目Ｆの次は、項目Ａに戻って同様の順序で表示する表示順序（表示順序を示すデータ）が記憶される。
【００２４】
ＲＡＭ３は、作業領域として用いられ、ＣＰＵ１が実行した処理の処理結果などが一時的に記憶される。ＥＥＰＲＯＭ４には、後ほど説明する車両情報の項目（項目を示すデータ）が記憶される。なお、上述の項目の表示順序を示すデータは、ＥＥＰＲＯＭ４に記憶するようにしてもよい。
【００２５】
描画ＩＣ５は、ＣＰＵ１から取得した制御信号やデータに基づいて演算処理を行い、例えば、水平同期信号と垂直同期信号とからなる同期信号、光の３原色である赤色（Ｒ）と緑色（Ｇ）と青色（Ｂ）の各信号からなるＲＧＢ信号、表示クロック（ＣＬＫ）信号などを出力することによってディスプレイ６に対する表示制御を行う。
【００２６】
これによって、スピードメータ、タコメータ、燃料計などの計器類やオドメータ、フラッシャーインジケーター、各種ウォーニングなどがディスプレイ６に表示される。さらに、ディスプレイ６の一部（車両情報を表示する表示領域）には、複数の項目の車両情報が切り替え表示される。
【００２７】
ディスプレイ６は、車室内の運転席に対向する位置に設けられるものであり、周知のカラー液晶ディスプレイなどを採用することができる。
【００２８】
操作部９は、ユーザーよる操作に応じて操作信号をＣＰＵ１に出力するものであり、例えば、周知の押しボタンスイッチなどを採用することができる。この操作部９は、例えば、ステアリングホイール（図示省略）やディスプレイ６の周辺に配置される。なお、ＣＰＵ１は、この操作部９から出力された操作信号に基づいて操作部９に対するユーザーの操作態様を判定する。
【００２９】
本実施の形態においては、ＣＰＵ１は、第１の操作態様、第１の操作態様とは異なる第２の操作態様、第１の操作態様及び第２の操作態様とは異なる第３の操作態様の三種類に区分して操作態様を判定できる例を採用して説明する。そして、各操作態様としては、例えば、第１の操作態様は操作部９のワンクリック（操作部９を規定時間以内に一回押下。以下、単押しとも称する。）、第２の操作態様は操作部９のダブルクリック（操作部９を規定時間以内に２回押下）、第３の操作態様は操作部９の長押し（操作部９を規定時間以上押下）などを採用することができる。
【００３０】
このように、操作部９から出力された操作信号に基づいて操作部９に対するユーザーの操作態様を判定するのは、操作態様毎に実行する処理をかえるためである。この操作態様に応じて実行する処理の具体例としては、ＲＯＭ２に記憶された表示順序を示すデータに基づいてディスプレイ６に表示している車両情報の項目を切り替える処理、ディスプレイ６に表示している車両情報の項目をＥＥＰＲＯＭ４に記憶する処理、ＲＯＭ２に記憶された表示順序に関係なくＥＥＰＲＯＭ４に記憶された項目の車両情報をディスプレイ６に表示する処理である。なお、各操作態様と実行する処理との関係は、予め設定してＲＯＭ２などに記憶しておく。本実施の形態においては、単押しの場合はＲＯＭ２に記憶された表示順序を示すデータに基づいてディスプレイ６に表示している車両情報の項目の切り替え処理を実行し、長押しの場合はディスプレイ６に表示している車両情報の項目をＥＥＰＲＯＭ４に記憶する処理を実行し、ダブルクリックの場合はＲＯＭ２に記憶された表示順序のデータに関係なくＥＥＰＲＯＭ４に記憶された項目の車両情報をディスプレイ６に表示する処理を実行する例を採用する。
【００３１】
なお、本実施の形態においては、操作部９は、ＣＰＵ１に直接接続される例を用いて説明するが、本発明はこれに限定されるものではない。例えば、ＣＡＮ通信Ｉ／Ｆ７を介して接続されるようにしてもよい。
【００３２】
また、メータ装置１０は、上述のスピードメータ、タコメータ、燃料計などの計器類、オドメータ、フラッシャーインジケーター、各種ウォーニング、車両情報を表示するための各種計測データや各種検出データを第１コンピュータ２１、第２コンピュータ２２、第３コンピュータ２３から取得する。
【００３３】
なお、本実施の形態においては、第１コンピュータ２１、第２コンピュータ２２、第３コンピュータ２３（ＣＡＮ通信用のバスを介して接続された３つのコンピュータ）が上述の各種計測データや各種検出データを出力する例を採用して説明するが、本発明はこれに限定されるものではない。例えば、ＣＡＮ通信用のバスを介さずにＣＰＵ１に電気的に接続されたセンサやコンピュータなど、上述の各種計測データや各種検出データを出力する装置であれば採用することができる。また、この各種計測データや各種検出データを出力する装置の数に関しても、特に限定されるものではない。
【００３４】
ここで、図２〜図４を用いて、本実施の形態におけるメータ装置１０の車両情報の表示処理動作に関して説明する。図２のフローチャートに示すメータ装置１０の処理は、例えば、スイッチ３２がオンとなりバッテリー３１からの電源が供給なされるとスタートする。
【００３５】
まず、ステップＳ１０では、ＲＯＭ２に記憶された項目の表示順序を示すデータに基づいて、最初に表示する項目（ここでは項目Ａ）の車両情報をディスプレイ６に表示する。
【００３６】
ステップＳ１１では、操作部９から操作信号が出力されたか否かを判定し、操作信号が出力されたと判定した場合はステップＳ１２へ進み、操作信号が出力されてないと判定した場合はステップＳ１０での判定に戻る。
【００３７】
ステップＳ１２では、操作部９から出力された操作信号に基づいて操作部９に対するユーザーの操作態様が長押し（第３の操作態様）であるか否かを判定して、長押しであると判定した場合はステップＳ１３へ進み、長押しでないと判定した場合はステップＳ１５へ進む。
【００３８】
なお、上述のように、操作部９に対するユーザーの操作態様が長押しである場合は、ディスプレイ６に表示している車両情報の項目をＥＥＰＲＯＭ４に記憶する処理を実行するものである。従って、このステップＳ１２の判定は、複数の項目のうちいずれか一つの項目の車両情報がディスプレイ６に表示している状態において、ディスプレイ６に表示している項目の記憶を示す操作信号を取得したか否かの判定と換言することができる。よって、操作信号に基づいて操作部９に対するユーザーの操作態様が長押し（第３の操作態様）であると判定した場合は項目の記憶を示す操作信号を取得したとみなしてステップＳ１３へ進み、長押しでないと判定した場合は項目の記憶を示す操作信号を取得していないとみなしてステップＳ１５へ進む。
【００３９】
ステップＳ１５では、操作部９から出力された操作信号に基づいて操作部９に対するユーザーの操作態様が単押し（第１の操作態様）であるかダブルクリック（第２の操作態様）であるかを判定して、単押しであると判定した場合はステップＳ１６へ進み、ダブルクリックであると判定した場合はステップＳ１７へ進む。
【００４０】
ステップＳ１６では、ＲＯＭ２に記憶された表示順序を示すデータに基づいてディスプレイ６に表示している車両情報の項目の切り替え処理を実行する（ここでは、項目Ａの車両情報から項目Ｂの車両情報に切り替えて表示する）。換言すると、予め設定された順序に従い、次の項目の車両情報をディスプレイ６に表示する。つまり、本実施の形態におけるメータ装置１０は、操作部９に対するユーザーの操作態様が単押しであると判定するたびに、ＲＯＭ２に記憶された表示順序のデータに基づいて車両情報をディスプレイ６に表示する（表示手段）。よって、図４に示すように、単押しされるたびに、項目Ａ、項目Ｂ、項目Ｃ、項目Ｄ、項目Ｅ、項目Ｆの順序で項目を切り替えて車両情報を表示する。なお、図３、４においては、実線の矢印は操作部９が単押しされたことを示す。
【００４１】
ステップＳ１７では、後ほど説明するステップＳ１３にて記憶された項目の車両情報をディスプレイに表示する。例えば、図４に示すように、ディスプレイ６に項目Ａの車両情報を表示している場合に、操作部９がダブルクリックされると項目Ｄの車両情報を表示する。ここでは、項目ＤがＥＥＰＲＯＭ４に記憶されている場合を採用している。つまり、ＲＯＭ２に記憶された表示順序のデータに関係なくＥＥＰＲＯＭ４に記憶された項目の車両情報をディスプレイ６に表示する。
【００４２】
なお、このように、ＲＯＭ２に記憶された表示順序のデータに関係なくＥＥＰＲＯＭ４に記憶された項目の車両情報をディスプレイ６に表示している状態で、操作部９が単押しされた場合は、ＲＯＭ２に記憶された項目の表示順序を示すデータにおける最初に表示する項目（ここでは項目Ａ）の車両情報をディスプレイ６に表示するようにしてもよい。このようにすることによって、ＲＯＭ２に記憶された表示順序のデータに基づく順序の先頭に簡単な操作で戻すことができる。
【００４３】
ここで、上述のステップＳ１２での判定で、長押しであると判定した場合に行うステップＳ１３、Ｓ１４の処理に関して説明する。ステップＳ１３では、現在ディスプレイ６に表示している車両情報の項目をＥＥＰＲＯＭ４に記憶する（項目記憶手段）。つまり、長押しであると判定すると項目の記憶を示す操作信号を取得したとみなして、ディスプレイ６に表示している車両情報の項目をＥＥＰＲＯＭ４に記憶する。
【００４４】
これは、上述のステップＳ１７において、操作部９に対するダブルクリックで、ＲＯＭ２に記憶された表示順序に関係なく、優先的にディスプレイ６に表示する車両情報の項目を記憶する処理である。つまり、図３に示すように、ディスプレイ６に各項目の車両情報が表示している状態において操作部９が長押しされた場合（一点鎖線の矢印は操作部９が長押しされたことを示す）、表示している車両情報の項目をＥＥＰＲＯＭ４に記憶する。例えば、項目Ｄの車両情報を表示している状態で操作部９が長押しされた場合、項目ＤをＥＥＰＲＯＭ４に記憶する。
【００４５】
なお、ステップＳ１３の処理を行うときに、既に、ＥＥＰＲＯＭ４に項目が記憶されている場合は、一旦、ＥＥＰＲＯＭ４に記憶されている項目を消去してからステップＳ１３の処理を実行するようにしてもよい。
【００４６】
また、ステップＳ１４では、現在ディスプレイ６に表示している車両情報の項目を、操作部９をダブルクリックすると、予め設定された表示順序に関係なく優先的にディスプレイ６に表示する車両情報の項目として記憶したことをディスプレイ６などによって通知する。
【００４７】
このように、複数の項目のうちいずれか一つの項目の車両情報をディスプレイ６に表示している状態で、項目の記憶を示す操作信号を取得したとみなした場合に、その項目を記憶することによって、ユーザーが所望する車両情報の項目を記憶することができる。そして、操作部９に対するユーザーの操作態様がダブルクリックであると判定した場合に、その記憶した項目の車両情報を表示することによって、ユーザーが所望する情報を瞬時に表示することができる。
【００４８】
また、近年、車両用の表示装置であるメータ装置１０に表示する車両情報の項目は、１０項目以上になることもありうる。従って、このように、ユーザーが所望する情報を瞬時に表示することができる表示装置はメータ装置１０に好適である。
【００４９】
また、このように、操作部９に対するユーザーの操作態様によって、項目の記憶を示す操作信号を取得したか否かを判定することによって、操作部９を増やすことなく項目を記憶できるようにすることができるので好ましい。つまり、一つの操作部９で、ＲＯＭ２に記憶された表示順序を示すデータに基づいてディスプレイ６に表示している車両情報を切り替える処理、ディスプレイ６に表示している車両情報の項目をＥＥＰＲＯＭ４に記憶する処理、ＲＯＭ２に記憶された表示順序に関係なくＥＥＰＲＯＭ４に記憶された項目の車両情報をディスプレイ６に表示する処理を行えるようにすることができる。このように、操作部９を増やす必要がないので、コストアップを抑制することができる。
【００５０】
さらに、車室内は、操作部９などを搭載できるスペースが限られている。従って、このように操作部９を増やす必要がない表示装置は車両用の表示装置であるメータ装置１０に好適である。
【００５１】
しかし、本発明はこれに限定されるものではなく、ユーザーによる複数の操作態様に応じた操作信号を出力する第１の操作部（操作部９と同様）とは別に、ユーザーによる操作に応じて項目の記憶を示す操作信号を出力する第２の操作部（図示省略）を備えるようにしてもよい。この場合、上述のステップＳ１１では第１の操作部及び第２の操作部から出力さえる操作信号で判定を行い、ステップＳ１２では第２の操作部から出力される操作信号で判定を行い、ステップＳ１５では、第１の操作部から出力される操作信号で判定を行うようにする。
【００５２】
以上、本発明の好ましい実施形態について説明したが、本発明は上述した実施形態に何ら制限されることはなく、本発明の趣旨を逸脱しない範囲において、種々の変形が可能である。
【００５３】
例えば、上述の実施の形態においては、ステップＳ１０では、メータ装置１０は、ＲＯＭ２に記憶された項目の表示順序を示すデータに基づいて、最初に表示する項目（ここでは項目Ａ）の車両情報をディスプレイ６に表示する例を採用して説明したが、本発明はこれに限定されるものではない。ＥＥＰＲＯＭ４に項目（長押しで記憶される項目）が記憶されているか否かを判定し、記憶されていると判定した場合は、その項目の車両情報をディスプレイ６に表示し、記憶されていないと判定した場合は、ＲＯＭ２に記憶された項目の表示順序を示すデータに基づいて、最初に表示する項目の車両情報をディスプレイ６に表示するようにしてもよい。
【符号の説明】
【００５４】
１  ＣＰＵ、２  ＲＯＭ、３  ＲＡＭ、４  ＥＥＰＲＯＭ、５  描画ＩＣ、６  ディスプレイ（表示部）、７  ＣＡＮ通信Ｉ／Ｆ、８  電源Ｉ／Ｆ、９  操作部（第１操作部）、１０  メータ装置（表示装置）、２１  第１コンピュータ、２２  第２コンピュータ、２３  第３コンピュータ、３１  バッテリー、３２  スイッチ
【図１】
2011100019.tif 000003
【図２】
2011100019.tif 000004
【図３】
2011100019.tif 000005
【図４】
2011100019.tif 000006